(57)【要約】【課題】扉の開閉や開錠の予備的行為の段階で警報を発することができる防犯システムを提供する。【解決手段】窓Ｗや扉Ｔに取り付けられる破損感知部１０と、破損感知部１０と電気的に接続された監視回路部２０と、監視回路部２０によって作動を制御される警報部３０とを備えており、破損感知部１０は、複数の導電性シート１２と複数の絶縁性シート１１とが交互に重ねられ、複数の導電性シート１２が、複数の絶縁性シート１１によって互いに絶縁された状態となるように配設されたものであり、監視回路部２０は、破損感知部１０における一対の導電性シート１２が短絡されると、警報部３０を作動させる警報部作動機構を備えている。【選択図】図１
0003134765.tif 000002
【実用新案登録請求の範囲】
【請求項１】
窓や扉に取り付けられる破損感知部と、
該破損感知部と電気的に接続された監視回路部と、
該監視回路部によって作動を制御される警報部とを備えており、
前記破損感知部は、
複数の導電性シートと複数の絶縁性シートとが交互に重ねられ、前記複数の導電性シートが、前記複数の絶縁性シートによって互いに絶縁された状態となるように配設されたものであり、
前記監視回路部は、
前記破損感知部における一対の導電性シートが短絡されると、前記警報部を作動させる警報部作動機構を備えている
ことを特徴とする防犯システム。
【請求項２】
窓や扉に取り付けられる破損感知部と、
該破損感知部と電気的に接続された監視回路部と、
該監視回路部によって作動を制御される警報部とを備えており、
前記破損感知部は、窓や扉に取り付けられた配線を有しおり、
前記監視回路部は、
前記破損感知部の配線が切断されると、前記警報部を作動させる警報部作動機構を備えている
ことを特徴とする防犯システム。
【請求項３】
前記破損感知部は、
シート状の基材と、
該基材に表面に設けられた配線と、
前記基材を窓や扉に取り付ける取付け部とからなる
ことを特徴とする請求項２記載の防犯システム。
【請求項４】
前記警報部は、
使い捨てカメラを備えた撮影機を備えており、
該撮影機は、設けられている前記破損感知部が設けられている窓や扉を撮影し得る位置に設けられている
ことを特徴とする請求項１、２または３記載の防犯システム。
【考案の詳細な説明】
【技術分野】
【０００１】
本考案は、防犯システムに関する。
【背景技術】
【０００２】
従来より、ドアや窓の開閉または開錠動作に反応して光や音などの警報を発するように構成された防犯システムが開発されている（例えば特許文献１，２）。
かかるシステムでは、施錠されている扉等から侵入するためにドアや窓を開けたり開錠したりすると、警報が発せられるので、不審者の侵入を防止するとともに隣人等に異変を知らせることができる。
【０００３】
しかるに、上記のごとき従来技術では、開錠されたり扉が開けられたりするまでは警報等が発せられないので、侵入しようとした者が逃げたり、盗難等を行う時間的な余裕がある場合がある。
また、ガラス等を割られてそこから侵入された場合には、作動しない可能性もある。
【０００４】
【特許文献１】特開２００３−３０３３７９
【特許文献２】特開２００３−７７０７１
【考案の開示】
【考案が解決しようとする課題】
【０００５】
本考案は上記事情に鑑み、扉の開閉や開錠の予備的行為の段階で警報を発することができる防犯システムを提供することを目的とする。
【課題を解決するための手段】
【０００６】
第１考案の防犯システムは、窓や扉に取り付けられる破損感知部と、該破損感知部と電気的に接続された監視回路部と、該監視回路部によって作動を制御される警報部とを備えており、前記破損感知部は、複数の導電性シートと複数の絶縁性シートとが交互に重ねられ、前記複数の導電性シートが、前記複数の絶縁性シートによって互いに絶縁された状態となるように配設されたものであり、前記監視回路部は、前記破損感知部における一対の導電性シートが短絡されると、前記警報部を作動させる警報部作動機構を備えていることを特徴とする。
第２考案の防犯システムは、窓や扉に取り付けられる破損感知部と、該破損感知部と電気的に接続された監視回路部と、該監視回路部によって作動を制御される警報部とを備えており、前記破損感知部は、窓や扉に取り付けられた配線を有しおり、前記監視回路部は、前記破損感知部の配線が切断されると、前記警報部を作動させる警報部作動機構を備えていることを特徴とする。
第３考案の防犯システムは、第２考案において、前記破損感知部は、シート状の基材と、該基材に表面に設けられた配線と、前記基材を窓や扉に取り付ける取付け部とからなることを特徴とする。
第４考案の防犯システムは、第１、第２または第３考案において、前記警報部は、使い捨てカメラを備えた撮影機を備えており、該撮影機は、設けられている前記破損感知部が設けられている窓や扉を撮影し得る位置に設けられていることを特徴とする。
【考案の効果】
【０００７】
第１考案によれば、窓や扉の破損によって導電性シート同士が短絡されると警報器を作動する。つまり、扉の開閉や開錠等の行為を行うための予備的行為の段階で警報部が作動するので、防犯効果を高めることができる。
第２考案によれば、窓や扉の破損によって配線が切断されると警報器を作動する。つまり、扉の開閉や開錠等の行為を行うための予備的行為の段階で警報部が作動するので、防犯効果を防ぐ効果を高めることができる。
第３考案によれば、シート状の基材を取り付けるだけでよいから、破損感知部の設置が容易になる。
第４考案によれば、侵入しようとした者をカメラにより撮影できるので、犯人の逮捕に役立てることができるし、防犯効果も高くなる。
【考案を実施するための最良の形態】
【０００８】
つぎに、本考案の実施形態を図面に基づき説明する。
図１（Ａ）は本実施形態の防犯システム１における破損感知部１０を玄関の扉Ｔの内側に取り付けた状態の概略説明図であり、（Ｂ）は破損感知部１０を取り付けた扉Ｔの概略断面図である。図２（Ａ）は別の破損感知部４０を窓Ｗのガラスの内側に取り付けた状態の概略説明図であり、（Ｂ）は破損感知部４０を取り付けた扉Ｔの概略断面図である。図３は本実施形態の防犯システム１の概略回路図である。
【０００９】
図１に示すように、本実施形態の防犯システム１は、破損感知部１０と、この破損感知部１０と電気的に接続された監視回路部２０と、この監視回路部２０によって作動される警報部３０とを備えている。
【００１０】
図１（Ｂ）に示すように、破損感知部１０は、ビニールフィルム等の絶縁性シート１１と、アルミ箔等の導電性シート１２とが交互に重なり合った状態で形成されたものであり、絶縁性シート１１によって一対の導電性シート１２，１２が互いに絶縁されているものである。
この破損感知部１０は、玄関の扉Ｔや窓等の内側に取り付けられるものであり、玄関の扉Ｔの内側に取り付ける場合にはサムターンＳの周囲に配置される。
【００１１】
なお、破損感知部１０は絶縁性シート１１が玄関の扉Ｔの内面と接するように取り付けられるが、その扉Ｔへの取り付け方法は特に限定されない。例えば、両面テープなどで扉Ｔに破損感知部１０を貼り付けることも可能である。
【００１２】
図１および図３に示すように、破損感知部１０は、配線２１によって監視回路部２０に接続されている。
図３に示すように、配線２１は、リレー回路等の断続回路２２を介して電源Ｄに接続されている。この断続回路２２は、後述する警報部３０に対して、通常電力を供給しないが、一対の導電性シート１２同士の間が電気的に接続されると後述する警報部３０に対して電力を供給するように構成されている。
上記の断続回路２２が、特許請求の範囲にいう警報部作動機構であるが、警報部作動機構はリレー回路等に限られず、上記のごとき機能を発揮する機器、回路であればどのようなものでも採用することができる。
【００１３】
また、警報部３０には、ブザーなどのように音を発生させる音響機器や、回転灯のように光を発する発光機器、そして、使い捨てカメラによって撮影を行う撮影機等が設けられている。これらの機器は、断続回路２２から電力が供給されると、音や光を自動的に発生させたり、使い捨てカメラによる撮影を自動的に行ったりするように構成されている。
【００１４】
なお、図示しないが、撮影機は、破損感知部１０が設けられている扉Ｔを撮影し得る位置に設けられているのはいうまでもない。
さらになお、警報部３０に設ける機器は上記の機器に限られず、侵入しようとする者等をびっくりさせることができる機器、また、異常を外部の人や警備会社等に知らせる機器等を自由に採用できる。
【００１５】
つぎに、上記防犯システム１の作動について説明する。
図１に示すように、玄関扉ＴのサムターンＳの周りに破損感知部１０を貼りつけておく。すると、破損感知部１０が設けられた扉Ｔに対し、サムターンＳを廻すための穴をドリル等によって形成しようとすると、破損感知部１０にも貫通穴が形成される。
【００１６】
このとき、ドリル等は一対の導電性シート１２同士を絶縁していた絶縁シート１１を貫通するので、ドリル等を介して一対の導電性シート１２同士が導通される。また、ドリル等が絶縁性材料によって形成されても、ドリル等が絶縁性シート１１を貫通したことによって、一対の導電性シート１２同士が直接接触して導通される。
すると、配線２１に電流が流れるので、一対の導電性シート１２同士が導通したことが検出され、断続回路２２によって警報部３０に電力が供給されるから、警報部３０の各種機器が作動する。
【００１７】
以上のごとく、警報部３０は、侵入しようとする者が窓Ｗや錠を開けたりする前の段階、つまり、侵入の予備的行為の段階で作動するので、侵入しようとする者に警告を与えることができ侵入をあきらめさせることができ、防犯効果を高めることができる。
【００１８】
なお、警報部３０に電力が供給されると同時に警報部３０の全機器を作動させてもよいし、タイマー等を使用して電力が供給されてから一定時間経過後に各機器を作動させるようにしてもよい。例えば、電力の供給後一定時間経過してから使い捨てカメラによる全自動撮影（フラッシュ釦押し・フィルム巻取り・シャッター釦押し）を開始し、使い捨てカメラによる撮影の開始後、音や光を発生させてもよい。
さらになお、使い捨てカメラによる全自動撮影は、フィルムのある限り撮影し続けてもよいし、一定の時間または一定の枚数だけ撮影すると、撮影を中止するようにしてもよい。
【００１９】
また、破損検知部４０を図２のような構成とし、監視回路部２０の断続回路２２が、通常は、後述する警報部３０に対して電力を供給しないが、破損検知部４０の配線４２が切断されると上記のごとき警報部３０に対して電力を供給するように構成してもよい。
【００２０】
図２に示すように、破損検知部４０は、特許請求の範囲に言うシート状の基材に相当するビニール等の絶縁性シート４１を備えており、この絶縁性シート４１には、例えば、両面テープ等の絶縁性シート４１を窓Ｗのガラス等の内側に取り付ける取り付け部４３を備えている。
そして、絶縁性シート４１の表面には、アルミ箔等の導電性材料によって配線４２が形成されている。この配線４２は、絶縁性シート４１の表面の広い範囲を覆うように設けられている。例えば、図２（Ａ）に示すように、配線４２は、絶縁性シート４１の表面に蛇行させた状態で取り付けられている。
なお、この配線４２には、電源Ｄから電流が常時流されている。
【００２１】
このため、取り付け部４３によって破損検知部１０を窓Ｗのガラス等の内側に取り付けておく。すると、窓Ｗのガラス等が破損されたときに、絶縁性シート４１が損傷し配線４２も切断される。すると、配線４２への電流が流れなくなるので、配線４２の切断が検出され、断続回路２２によって警報部３０に電力が供給されるから、警報部３０の各種機器が作動する。
【００２２】
以上のごとく、警報部３０は、侵入しようとする者が窓Ｗや錠を開けたりする前の段階、つまり、侵入の予備的行為の段階で作動するので、侵入しようとする者に警告を与えることができ侵入をあきらめさせることができ、防犯効果を高めることができる。
【００２３】
しかも、配線４２が絶縁性シート４１の表面の広い範囲を覆うように取り付けられているから、絶縁シート４１のどの位置が破損しても配線４２が切断する。よって、窓Ｗのガラス等が破損されたときに、破損の検出精度を高めることができる。
【００２４】
なお、破損検知部４０が絶縁性シート４１および取り付け部４３を備えていれば破損検知部４０の取り付けが容易になるが、配線４２を直接窓Ｗ等に取り付ける構成としてもよいのは、言うまでもない。
【産業上の利用可能性】
【００２５】
本発明の防犯システムは、一般家庭や商店、店舗などの簡易な防犯システムとして適している。
【図面の簡単な説明】
【００２６】
【図１】（Ａ）は本実施形態の防犯システム１における破損感知部１０を玄関の扉Ｔの内側に取り付けた状態の概略説明図であり、（Ｂ）は破損感知部１０を取り付けた扉Ｔの概略断面図である。
【図２】（Ａ）は別の破損感知部４０を窓Ｗのガラスの内側に取り付けた状態の概略説明図であり、（Ｂ）は破損感知部４０を取り付けた扉Ｔの概略断面図である。
【図３】本実施形態の防犯システム１の概略回路図である。
【符号の説明】
【００２７】
１      防犯システム
１０      破損感知部
１１      絶縁性シート
１２      導電性シート
２０      監視回路部
２２      断続回路
３０      警報部
４０      破損感知部
４１      絶縁性シート
４２      配線
４３      取り付け部
Ｔ      扉
Ｗ      窓
【図１】
0003134765.tif 000003
【図２】
0003134765.tif 000004
【図３】
0003134765.tif 000005